(57)【特許請求の範囲】
【請求項１】
プリンターに装填されたライナーレスラベルに印字する印字データをコンピューター上で作成する印字データ作成装置であって、
前記プリンターで印字できるライナーレスラベルの最小長さを記憶する最小長さ記憶部と、前記プリンターに印字される印字データ作成手段と、該印字データ作成手段によって作成された前記ライナーレスラベルのイメージを表示する表示部と、該ライナーレスラベルのイメージを分割する分割手段とを備え、分割する位置を指定すると、分割する位置の前後のライナーレスラベルのイメージ長さと前記ライナーレスラベルの最小長さを比較することによって前後のライナーレスラベルのイメージ長さがいずれも前記最小長さより長い時に前記分割手段が有効となり印字されるライナーレスラベルのイメージも分割されることを特徴とする印字データ作成装置。
【請求項２】
プリンターに装填されたライナーレスラベルに印字する印字データを作成するコンピューターを、
前記プリンターで印字できるライナーレスラベルの最小長さを記憶する最小長さ記憶部と、前記プリンターに印字される印字データ作成手段と、該印字データ作成手段によって作成された前記ライナーレスラベルのイメージを表示する表示部と、該ライナーレスラベルのイメージを分割する分割手段とを備え、分割する位置を指定すると、分割する位置の前後のライナーレスラベルのイメージ長さと前記ライナーレスラベルの最小長さを比較することによって前後のライナーレスラベルのイメージ長さがいずれも前記最小長さより長い時に前記分割手段が有効となり印字されるライナーレスラベルのイメージも分割されるように機能させることを特徴とする印字データ作成プログラム。
【発明の詳細な説明】
【技術分野】
【０００１】
本発明は、プリンターに装填されたライナーレスラベルに印字する印字データをコンピューター上で作成する印字データ作成装置および印字データ作成プログラムであって、コンピューターの表示部に表示されたライナーレスラベルのイメージを分割することができる分割手段を備えた印字データ作成装置および印字データ作成プログラムに関するものである。
【背景技術】
【０００２】
通常、台紙付きラベルまたはライナーレスラベルが装填されたプリンターから発行されたラベルまたはライナーレスラベルは、商品名、価格、バーコード、原産地名および原材料名などの商品情報が印字されて、消費者の目に触れやすいように商品の表側に貼付されている。
【０００３】
しかし、商品情報に含まれる添加物名などの印字データ量が多い項目を１枚の台紙付きラベルまたはライナーレスラベルに印字すると、台紙付きラベルまたはライナーレスラベルが長くなって商品の表側からはみ出してしまうため、表貼り用ラベルと裏貼り用ラベルと二枚のラベルを別々に発行して、表側と裏側にそれぞれ貼付している。表貼り用ラベルには、商品名、価格、バーコード、原産地名、原材料名などの商品情報が印字されている。一方、裏貼り用ラベルには、添加物名などの印字データ量が多い商品情報が印字されている。
【０００４】
このように表貼り用ラベルと裏貼り用ラベルとを別々に発行するラベル発行装置が知られている（特許文献１参照）。このラベル発行装置は、装填されたロール状のラベルを繰り出して、所定のフォーマットに基づいて印字部でラベルに商品情報を印字して発行している。商品情報は、識別情報と関連付けられて記憶されており、オペレーターが入力部から識別情報を入力すると関連付けられた商品情報を１枚貼りにするか２枚貼りにするかのフラグ情報を識別して、１枚または２枚のラベルを発行している。
【先行技術文献】
【特許文献】
【０００５】
【特許文献１】特開２０１４−２８６４４号公報
【発明の概要】
【発明が解決しようとする課題】
【０００６】
しかしながら、特許文献１に記載のラベル発行装置は、識別情報に関連付けられた商品情報を印字する時に、１枚貼りにするか２枚貼りにするかのフラグ情報を識別して１枚または２枚のラベルを発行しているものであり、表示部でラベルを分割するものでないため、どのようなラベル態様になっているかラベルを発行してみないと分からないと言う問題があった。
【０００７】
本発明は、上記問題に鑑みてなされたものであって、コンピューター上の表示部でライナーレスラベルのイメージを分割することができる印字データ作成装置および印字データ作成プログラムを提供することを目的とする。
【課題を解決するための手段】
【０００８】
上記の課題を解決するために請求項１に記載の印字データ作成装置は、プリンターに装填されたライナーレスラベルに印字する印字データをコンピューター上で作成する印字データ作成装置であって、前記プリンターで印字できるライナーレスラベルの最小長さを記憶する最小長さ記憶部と、前記プリンターに印字される印字データ作成手段と、該印字データ作成手段によって作成された前記ライナーレスラベルのイメージを表示する表示部と、該ライナーレスラベルのイメージを分割する分割手段とを備え、分割する位置を指定すると、分割する位置の前後のライナーレスラベルのイメージ長さと前記ライナーレスラベルの最小長さを比較することによって前後のライナーレスラベルのイメージ長さがいずれも前記最小長さより長い時に前記分割手段が有効となり印字されるライナーレスラベルのイメージも分割されるものである。
【０００９】
また、上記の課題を解決するために請求項２に記載の印字データ作成プログラムは、プリンターに装填されたライナーレスラベルに印字する印字データを作成するコンピューターを、前記プリンターで印字できるライナーレスラベルの最小長さを記憶する最小長さ記憶部と、前記プリンターに印字される印字データ作成手段と、該印字データ作成手段によって作成された前記ライナーレスラベルのイメージを表示する表示部と、該ライナーレスラベルのイメージを分割する分割手段とを備え、分割する位置を指定すると、分割する位置の前後のライナーレスラベルのイメージ長さと前記ライナーレスラベルの最小長さを比較することによって前後のライナーレスラベルのイメージ長さがいずれも前記最小長さより長い時に前記分割手段が有効となり印字されるライナーレスラベルのイメージも分割されるように機能させるものである。
【発明の効果】
【００１０】
請求項１に記載の印字データ作成装置は、プリンターに装填されたライナーレスラベルに印字する印字データをコンピューター上で作成する印字データ作成装置であって、前記プリンターで印字できるライナーレスラベルの最小長さを記憶する最小長さ記憶部と、前記プリンターに印字される印字データ作成手段と、該印字データ作成手段によって作成された前記ライナーレスラベルのイメージを表示する表示部と、該ライナーレスラベルのイメージを分割する分割手段とを備え、分割する位置を指定すると、分割する位置の前後のライナーレスラベルのイメージ長さと前記ライナーレスラベルの最小長さを比較することによって前後のライナーレスラベルのイメージ長さがいずれも前記最小長さより長い時に前記分割手段が有効となり印字されるライナーレスラベルのイメージも分割されるので、実際にプリンターに印字させなくともコンピューターの表示部のライナーレスラベルのイメージ上で分割できるかどうかの判断ができる。
【００１１】
また、請求項２に記載の印字データ作成プログラムは、プリンターに装填されたライナーレスラベルに印字する印字データを作成するコンピューターを、前記プリンターで印字できるライナーレスラベルの最小長さを記憶する最小長さ記憶部と、前記プリンターに印字される印字データ作成手段と、該印字データ作成手段によって作成された前記ライナーレスラベルのイメージを表示する表示部と、該ライナーレスラベルのイメージを分割する分割手段とを備え、分割する位置を指定すると、分割する位置の前後のライナーレスラベルのイメージ長さと前記ライナーレスラベルの最小長さを比較することによって前後のライナーレスラベルのイメージ長さがいずれも前記最小長さより長い時に前記分割手段が有効となり印字されるライナーレスラベルのイメージも分割されるように機能させるので、請求項１と同じ効果を奏する。
【図面の簡単な説明】
【００１２】
【図１】本発明に係る印字データ作成装置の印字システムの全体斜視図である。
【図２】本発明に係る印字データ作成装置の印字システムを構成するプリンターの概略断面図である。
【図３】本発明に係る印字データ作成装置の一例としてのＰＣの制御部の構成を示すブロック図である。
【図４】本発明に係る印字データ作成装置のＬＣＤに表示される印字データ作成アプリケーションが起動した時のホーム画面のライナーレスラベルのイメージである。
【図５】本発明に係る印字データ作成装置のＬＣＤに表示される印字データ作成アプリケーションが起動した時のホーム画面のライナーレスラベルのイメージが２分割されたイメージである。
【図６】本発明に係る印字データ作成装置のＬＣＤにレイアウトされる印字項目のレイアウトファイルのデータ構成図である。
【図７】本発明に係る印字データ作成装置のＬＣＤにレイアウトされる印字項目の商品ファイルのデータ構成図である。
【図８】本発明に係る印字データ作成装置の印字データを作成する処理方法を説明するフローチャートである。
【発明を実施するための形態】
【００１３】
以下の実施例にて、本発明に係る印字データ作成装置および印字データ作成プログラムについて実施例に基づいて詳述する。なお、本発明については、実施例の詳細な説明だけに限定されるものでなく、本発明の要旨を逸脱しない範囲で適宜変更可能である。
【実施例】
【００１４】
本実施例では、本発明に係る印字データ作成装置の一例としてノートブックタイプのパーソナルコンピューター（以下、ＰＣと言う。）について説明する。図１は、本発明に係る印字データ作成装置の印字システムの全体斜視図である。図１において、印字システム１は、ＰＣ２とプリンター３がＵＳＢケーブル４で接続されて構成されている。図１では、ＰＣ２とプリンター３がＵＳＢケーブル４で接続されているが、無線ＬＡＮやブルートゥース（登録商標）などの無線通信で接続することもできる。
【００１５】
ＰＣ２は、主として本体６、ＬＣＤ７、キーボード８、ＣＤ−ＲＯＭドライブ９およびマウス１０とで構成されている。そして、ＰＣ２にインストールされた印字データ作成プログラムを実行することにより、印字データ作成アプリケーションが起動し印字データを作成することができる。
【００１６】
ＰＣ２で作成された印字データがＰＣ２とプリンター３に接続されたＵＳＢケーブル４を介して通信することによって、ＰＣ２上で作成された印字データがプリンター３に送信されてプリンター３に装填されたライナーレスラベル５にオンライン発行される。または、送信された印字データがプリンター３に保存され、スタンドアロンタイプとして店舗内など現場にプリンター３を持ち歩いてライナーレスラベル５を発行することもできる。通常、スタンドアロンタイプとして使用されるプリンター３は、ＡＣ駆動の他に持ち運びができるようにバーテリー駆動でも印字できるような仕様になっている。
【００１７】
図２は、本発明に係る印字データ作成装置の印字システムを構成するプリンターの概略断面図である。図２において、プリンター３は、主としてカバー１１とメインフレーム１２とで構成され、メインフレーム１２の後端に設けられたヒンジ１３回りにカバー１１が回動するようになっている。また、プリンター３の上流側（排出口と反対側）には、ロール状に巻回されたライナーレスラベル５が装填され、排出口の近傍に設けられたカッター１４で排出口から発行されたライナーレスラベル５が所定の長さにカットされる。一方、カッター１４より排出側の近傍にライナーレスラベル５が取り除かれたかどうかを検出するライナーレスラベル検出センサー１５が配設されている。
【００１８】
カッター１４のやや上流側には、サーマルヘッド１６にプラテンローラー１７が弾接されるように配設され、ライナーレスラベル５を挟持して印字しながら発行する。このように、サーマルヘッド１６とプラテンローラー１７とから印字部が構成されている。
【００１９】
カッター１４と印字部との間に配設された剥離板１９は、ライナーレスラベル５を排出口にガイドするとともに、ミシン目のライナーレスラベル５の場合、このミシン目を剥離板１９のエッジに合わせてカットする。また、印字部と巻回されて装填されているライナーレスラベル５との間に、テンションガイド１８が上方からライナーレスラベル５が弛まないように張設している。
【００２０】
寸法Ｌは、カッター１４の上下の歯が噛み合う位置からライナーレスラベル検出センサー１５までの長さを示している。すなわち、ライナーレスラベル５をカットする場合は、ライナーレスラベル検出センサー１５がライナーレスラベル５が無い事を検知してからカッター１４が作動するようになっているので、このＬの長さがライナーレスラベルの最小長さとなる。本実施例では、ライナーレスラベル５の最小長さをＬとしてあるが、ライナーレスラベル検出センサー１５が設けられていないプリンター３の場合は、Ｌａがライナーレスラベル５の最小長さとなる。
【００２１】
図３は、本発明に係る印字データ作成装置の一例としてのＰＣの制御部の構成を示すブロック図である。図３において、制御部２０は、主としてＣＰＵ２１、ＲＯＭ２２、ＲＡＭ２３、通信インターフェース２４、ＵＳＢインターフェース２５、インターフェース２６、ＣＤ−ＲＯＭドライブ９、ＨＤＤ２７などで構成され、各部は、バスライン２８を介してＣＰＵ２１に接続されている。
【００２２】
ＣＰＵ２１は、ＰＣ２の各部を制御する。ＲＯＭ２２には、ＣＰＵ２１が実行するＢＩＯＳなどのプログラムを記憶する。ＲＡＭ２３は、ＣＰＵ２１が各部を制御する時に、各種データを一時的に記憶する。ＣＤ−ＲＯＭドライブ９は、データの記憶媒体であるＣＤ−ＲＯＭ２９を挿入し、データを読み込んだり書き込んだりする。ＨＤＤ２７は、ＯＳや各種プログラムやデータが記憶される。なお、ＣＤ−ＲＯＭ２９には、印字データ作成プログラムやこのプログラムを実行する時の使用される各種設定値やデータが記憶され、ＣＤ−ＲＯＭドライブ９を介してＨＤＤ２７に設けられたそれぞれの記憶エリアに記憶される。また、ＨＤＤ２７には、前述するライナーレスラベルの最小長さを記憶する最小長さ記憶部としての記憶エリアが設けられている。
【００２３】
モデム３０が通信インターフェース２４に接続され、モデム３０からネットワークに接続される。ＰＣ２上で印字データ作成プログラムやこのプログラムを実行する時に使用される各種設定値やデータをモデム３０を介してネットワーク上からＨＤＤ２７にダウンロードすることもできる。
【００２４】
プリンター３は、ＵＳＢケーブル４でＵＳＢインターフェース２５に接続されるとともに、バスライン２８を介してＣＰＵ２１に接続され、印字データが送受信される。また、表示部としてのＬＣＤ７、入力部としてのキーボード８とマウス１０は、インターフェース２６に接続されるとともに、バスライン２８を介してＣＰＵ２１に接続されている。
【００２５】
図４は、本発明に係る印字データ作成装置のＬＣＤに表示される印字データ作成アプリケーションが起動した時のホーム画面のライナーレスラベルのイメージである。電源を入れると、ＨＤＤ２７に記憶されたＯＳがＣＰＵ２１によって実行される。そして、ＰＣ２のキーボード８またはマウス１０を操作してＨＤＤ２７に記憶された印字データ作成プログラムをＣＰＵ２１が実行すると、印字データ作成アプリケーションが起動する。
【００２６】
ホーム画面１００が表示される前にライナーレスラベル５のフォーマット選択画面が表示される。フォーマットの選択画面は、ライナーレスラベル５の幅だけが選択され、ここでは、ライナーレスラベル５の幅６０ｍｍが選択されている。すると、初期値としてライナーレスラベル５の最小長さＬ’に設定された長手方向のライナーレスラベル５のイメージがホーム画面１００のワークエリア１０３に表示される。また、図４では、ライナーレスラベル５の長手方向のイメージの最小長さＬ’を１０ｍｍとして説明している。そして、ライナーレスラベル５のイメージの下辺がカットライン１０７になる。
【００２７】
ホーム画面１００の上段には、ラベルサイズを定義したり各種設定などを行うメニューバー１０１が設けられ、その下段には、下位のメニューが配置されたツールバー１０２が設けられている。また、ワークエリア１０３に表示されたライナーレスラベル５のイメージに各種印字項目をレイアウトする。
【００２８】
ワークエリア１０３とツールバー１０２との間には、ライナーレスラベル５のイメージを幅ごとに追加することができるレイアウトタブ１０４が設けられている。また、ワークエリア１０３の左欄には、ライナーレスラベル５のイメージにレイアウトされる各種印字項目、たとえば、文字項目、バーコード項目、価格項目、日時項目、直線項目、斜線項目、イメージ項目、リサイクルマーク項目などを作成するツールボックス１０５が設けられている。さらに、ワークエリア１０３の下段には、ワークエリア１０３にレイアウトされた各種印字項目に印字データを入力する入力エリア１０６が設けられている。
【００２９】
図５は、本発明に係る印字データ作成装置のＬＣＤに表示される印字データ作成アプリケーションが起動した時のホーム画面のライナーレスラベルのイメージが２分割されたイメージである。図５では、分かり易いようにツールボックス１０５の文字項目を使って、商品名と添加物名の印字項目がレイアウトされ、一方、ツールボックス１０５の  価格項目を使って、価格の印字項目がレイアウトされている場合について説明してある。
【００３０】
ライナーレスラベル５のイメージの長さ調整は、カットライン１０７上にポインターを置いてドラッグすることにより任意の位置に移動させることができる。図５では、ライナーレスラベル５のイメージの長手方向の長さを３０ｍｍとしている。
【００３１】
ツールボックス１０５の文字項目を選択して、ライナーレスラベル５のイメージの任意の位置にポインターを置くと、この位置が商品名と添加物名の印字項目の左上のコーナーに該当するとともに、この位置を印字開始位置として商品名と添加物名の印字項目がレイアウトされる。一方、ツールボックス１０５の価格項目を選択して、ライナーレスラベル５のイメージの任意の位置にポインターを置くと、この位置が価格の印字項目の左上のコーナーに該当するとともに、この位置を印字開始位置として価格の印字項目がレイアウトされる。
【００３２】
図６は、本発明に係る印字データ作成装置のＬＣＤにレイアウトされる印字項目のレイアウトファイルのデータ構成図である。図５に示されている各印字項目の印字開始位置が図６のレイアウトファイル１０８の印字開始位置項目に記憶される。また、レイアウトされる各印字項目の大きさは、初期値として設定された大きさでレイアウトされるが、各印字項目の枠上ハンドルにポインターを置いてドラッグすることにより任意の大きさに変更することができ、この枠の大きさが図６のレイアウトファイル１０８の幅、高さ項目に記憶される。
【００３３】
図６のレイアウトファイル１０８のフォント種類、フォントサイズ項目には、初期値が記憶されているが、各印字項目のプロパティで初期値を変更して記憶させることもできる。また、レイアウトファイル１０８は、ＲＡＭ２３に設けられたレイアウトファイル記憶エリアに記憶される。
【００３４】
商品名の印字項目には、印字データとして「商品名：ロースかつ弁当」と、価格の印字項目には、印字データとして「９８０」と、添加物名の印字項目には、印字データとして「添加物名：乳化剤、糊料、加工でん粉、甘味料、香料、着色料など」と入力エリア１０６から入力されると、レイアウトファイル１０８に定義されたフォーマットで印字データが表示されるとともに、これらの印字データと関連付けられるように入力エリア１０６の呼出番号に「００１」がと入力される。また、価格の印字項目には、価格の前に￥マークが表示されるように価格の印字項目のプロパティで設定されている。
【００３５】
図７は、本発明に係る印字データ作成装置のＬＣＤにレイアウトされる印字項目の商品ファイルのデータ構成図である。これらの入力された印字データが図７のように商品ファイル１０９の各種印字項目に記憶されるとともに、商品ファイル１０９は、ＲＡＭ２３に設けられた商品ファイル記憶エリアに記憶される。
【００３６】
図８は、本発明に係る印字データ作成装置の印字データを作成する処理方法を説明するフローチャートである。図８に基づいて、ライナーレスラベル５のイメージを分割する方法について説明する。印字データ作成アプリケーションが起動されると、ライナーレスラベル５のフォーマットを選択する画面が表示されるので、幅を選択する（ステップ１）。ここでは、図４および図５のようにライナーレスラベル５の幅６０ｍｍを選択する。一方、ライナーレスラベル５のイメージの長手方向の長さは、図４のようにライナーレスラベル５の最小長さＬ’が初期値としてワークエリア１０３に表示される。ここでは、図５のように３０ｍｍに調整されている（ステップ２）。
【００３７】
ツールボックス１０５の文字項目を選択して商品名と添加物名の印字項目を、ツールボックス１０５の価格項目を選択して価格の印字項目をライナーレスラベル５のイメージの任意の位置にレイアウトする（ステップ３）。次に、入力エリア１０６から商品名、価格と添加物名を、そして各印字項目が関連付けられるように呼出番号を入力する（ステップ４）。
【００３８】
分割したい印字項目の間にポインターを置いて（ステップ５）、この位置でマウス１０を右クリックするとサブメニューが開き、分割可能が有効になっていれば（ステップ６）、このポインターの位置でカットライン１０７が表示される（ステップ７）。サブメニューで分割可能が無効になっていれば（ステップ６）、このポインターの位置でカットライン１０７が表示されない（ステップ８）。
【００３９】
ステップ６で分割可能が有効か無効かの判定は、図５のようにポインターを置いた時の前後のライナーレスラベル５のイメージの長さ、Ｓ１とＳ２がライナーレスラベル５の最小長さＬと比較されて、Ｓ１とＳ２のいずれもがＬより大きい場合は、長さ比較手段によって分割可能が有効と判定され、一方、Ｓ１またはＳ２の少なくとも一方がＬよりも小さい場合は、長さ比較手段によって分割可能が無効と判定される。
【００４０】
本実施例では、印字データ作成装置の一例としてノートブックタイプのＰＣについて説明しているが、印字データ作成プログラムをインストールして実行することにより、印字データ作成アプリケーションが起動するコンピューターであれば、デスクトックタイプやモバイル機器などにも広く適用される。また、このような機能を有するコンピューターをプリンターに一体に組み込むこともできる。
【００４１】
本実施例では、ライナーレスラベル５のイメージを２分割した場合について説明してあるが、３分割以上の複数に分割することもできる。また、本実施例では、分かり易いように印字項目が商品名、価格と添加物名の３個の場合について説明してあるが、複数個の印字項目の場合でも同様に説明することができる。
【産業上の利用可能性】
【００４２】
近年、商品にラベルを貼付する場合、環境にやさしいラベルとして台紙の無いライナーレスラベルが使用されるようになっている。商品情報の印字データ量によって、ライナーレスラベルを任意の位置にカットして発行できるので、いろいろな商品サイズに対応してラベルを貼付することができる。しかも、無駄なライナーレスラベルを発行する必要がなく、ライナーレスラベルの節約にもつながる。
【符号の説明】
【００４３】
１    印字システム
２    ＰＣ
３    プリンター
４    ＵＳＢケーブル
５    ライナーレスラベル
６    本体
７    ＬＣＤ
８    キーボード
９    ＣＤ−ＲＯＭドライブ
１０    マウス
１１    カバー
１２    メインフレーム
１３    ヒンジ
１４    カッター
１５    ライナーレスラベル検出センサー
１６    サーマルヘッド
１７    プラテンローラー
１８    テンションガイド
１９    剥離板
２０    制御部
２１    ＣＰＵ
２２    ＲＯＭ
２３    ＲＡＭ
２４    通信インターフェース
２５    ＵＳＢインターフェース
２６    インターフェース
２７    ＨＤＤ
２８    バスライン
２９    ＣＤ−ＲＯＭ
３０    モデム
１００    ホーム画面
１０１    メニューバー
１０２    ツールバー
１０３    ワークエリア
１０４    レイアウトタブ
１０５    ツールボックス
１０６    入力エリア
１０７    カットライン
１０８    レイアウトファイル
１０９    商品ファイル
Ｌ、Ｌａ    ライナーレスラベルの最小長さ
【図１】
0006458955.tif 000002
【図２】
0006458955.tif 000003
【図３】
0006458955.tif 000004
【図４】
0006458955.tif 000005
【図５】
0006458955.tif 000006
【図６】
0006458955.tif 000007
【図７】
0006458955.tif 000008
【図８】
0006458955.tif 000009